【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）において第１の加入者識別モジュール（ＳＩＭ）と関連付けられる第１の呼を受信することと、
前記第１の呼から第１のオーディオデータを少なくとも受信するために前記第１の呼に接続することと、
前記第１の呼に接続されている間に、前記ＵＥにおいて第２のＳＩＭと関連付けられる第２の呼を受信することと、
前記第２の呼から第２のオーディオデータを少なくとも受信するために前記第２の呼に接続することと、
アクティブな呼として前記第１の呼または前記第２の呼のどちらかを選択することと、ここで、前記アクティブな呼として選択されていない呼はアクティブでない呼である、
前記第１のオーディオデータおよび前記第２のオーディオデータの両方と関連付けられるオーディオ伝送を、前記ＵＥのオーディオ出力デバイスから同時に出力することと、
前記ＵＥから前記アクティブな呼に少なくとも第３のオーディオデータを送信することと、
少なくとも前記第３のオーディオデータが前記アクティブな呼に送信されている間に前記アクティブでない呼にアイドルフレームを送信することと、ここで、前記アイドルフレームはオーディオデータを含まないフレームである、
を含む、ワイヤレス通信の方法。
【請求項２】
前記第１の呼は第１の通信のためにボコーダモードを使用し、前記第２の呼も第２の通信のために前記ボコーダモードを使用する、請求項１に記載の方法。
【請求項３】
ユーザ機器（ＵＥ）において第１の加入者識別モジュール（ＳＩＭ）と関連付けられる第１の呼の少なくとも第１のオーディオを受信することと、ここで、前記第１の呼は、ボコーダモードを使用する、
前記第１の呼に接続されている間に、前記ＵＥにおいて第２のＳＩＭと関連付けられる第２の呼の少なくとも第２のオーディオを受信することと、
前記第２の呼をセットアップするときに、前記第１のＳＩＭの前記ボコーダモードを要求することと、
前記第１のオーディオおよび前記第２のオーディオの両方が前記第１のＳＩＭの前記ボコーダモードを使用するように、前記第１のオーディオおよび前記第２のオーディオの両方と関連付けられるオーディオ伝送を、前記ＵＥのオーディオ出力デバイスから同時に出力することと、
前記ＵＥから前記第１の呼に少なくとも第３のオーディオデータを送信することと、
少なくとも第３のオーディオデータが前記第１の呼に送信されている間に前記第２の呼にアイドルフレームを送信することと、ここで、前記アイドルフレームはオーディオデータを含まないフレームである、
を含む、ワイヤレス通信の方法。
【請求項４】
前記第１の呼または前記第２の呼のいずれかに前記ＵＥから通信を選択的に送信することをさらに含む、請求項３に記載の方法。
【請求項５】
ユーザ機器（ＵＥ）において第１の加入者識別モジュール（ＳＩＭ）と関連付けられる第１の呼を受信する手段と、
前記第１の呼から第１のオーディオデータを少なくとも受信するために前記第１の呼に接続する手段と、
前記第１の呼に接続されている間に、前記ＵＥにおいて第２のＳＩＭと関連付けられる第２の呼を受信する手段と、
前記第２の呼から第２のオーディオデータを少なくとも受信するために前記第２の呼に接続する手段と、
アクティブな呼として前記第１の呼または前記第２の呼のどちらかを選択する手段と、ここで、前記アクティブな呼として選択されていない呼はアクティブでない呼である、
前記第１のオーディオデータおよび前記第２のオーディオデータの両方と関連付けられるオーディオ伝送を、前記ＵＥのオーディオ出力デバイスから同時に出力する手段と、
前記ＵＥから前記アクティブな呼に少なくとも第３のオーディオデータを送信する手段と、
少なくとも前記第３のオーディオデータが前記アクティブな呼に送信されている間に前記アクティブでない呼にアイドルフレームを送信する手段と、ここで、前記アイドルフレームはオーディオデータを含まないフレームである、
を含む、ワイヤレス通信のための装置。
【請求項６】
前記第１の呼は第１の通信のためにボコーダモードを使用し、前記第２の呼も第２の通信のために前記ボコーダモードを使用する、請求項５に記載の装置。
【請求項７】
ユーザ機器（ＵＥ）において第１の加入者識別モジュール（ＳＩＭ）と関連付けられる第１の呼の少なくとも第１のオーディオを受信する手段と、ここで、前記第１の呼は、ボコーダモードを使用する、
前記第１の呼に接続されている間に、前記ＵＥにおいて第２のＳＩＭと関連付けられる第２の呼の少なくとも第２のオーディオを受信する手段と、
前記第２の呼をセットアップするときに、前記第１のＳＩＭの前記ボコーダモードを要求する手段と、
前記第１のオーディオおよび前記第２のオーディオの両方が前記第１のＳＩＭの前記ボコーダモードを使用するように、前記第１のオーディオおよび前記第２のオーディオの両方と関連付けられるオーディオ伝送を、前記ＵＥのオーディオ出力デバイスから同時に出力する手段と、
前記ＵＥから前記第１の呼に少なくとも第３のオーディオデータを送信する手段と、
少なくとも前記第３のオーディオデータが前記第１の呼に送信されている間に前記第２の呼にアイドルフレームを送信する手段と、ここで、前記アイドルフレームはオーディオデータを含まないフレームである、
を含む、ワイヤレス通信のための装置。
【請求項８】
前記第１の呼または前記第２の呼のいずれかに前記ＵＥから通信を選択的に送信する手段をさらに含む、請求項７に記載の装置。
【請求項９】
ワイヤレスネットワークにおけるワイヤレス通信のためのコンピュータプログラム製品であって、
ユーザ機器（ＵＥ）において第１の加入者識別モジュール（ＳＩＭ）と関連付けられる第１の呼において第１の通信を受信するためのプログラムコードと、
前記第１の呼から第１のオーディオデータを少なくとも受信するために前記第１の呼に接続するためのプログラムコードと、
前記第１の呼に接続されている間に、前記ＵＥにおいて第２のＳＩＭと関連付けられる第２の呼を受信するためのプログラムコードと、
前記第２の呼から第２のオーディオデータを少なくとも受信するために前記第２の呼に接続するためのプログラムコードと、
アクティブな呼として前記第１の呼または前記第２の呼のどちらかを選択するためのプログラムコードと、ここで、前記アクティブな呼として選択されていない呼はアクティブでない呼である、
前記第１のオーディオデータおよび前記第２のオーディオデータの両方と関連付けられるオーディオ伝送を、前記ＵＥのオーディオ出力デバイスから同時に出力するためのプログラムコードと、
前記ＵＥから前記アクティブな呼に少なくとも第３のオーディオデータを送信するためのプログラムコードと、
少なくとも前記第３のオーディオデータが前記アクティブな呼に送信されている間に前記アクティブでない呼にアイドルフレームを送信するためのプログラムコードと、ここで、前記アイドルフレームはオーディオデータを含まないフレームである、
を含む、非一時的なプログラムコードが記録された非一時的なコンピュータ読取可能な媒体を含む、コンピュータプログラム製品。
【請求項１０】
前記第１の呼は第１の通信のためにボコーダモードを使用し、前記第２の呼も第２の通信のために前記ボコーダモードを使用する、請求項９に記載のコンピュータプログラム製品。
【請求項１１】
ワイヤレスネットワークにおけるワイヤレス通信のためのコンピュータプログラム製品であって、
ユーザ機器（ＵＥ）において第１の加入者識別モジュール（ＳＩＭ）と関連付けられる第１の呼の少なくとも第１のオーディオを受信するためのプログラムコードと、ここで、前記第１の呼は、ボコーダモードを使用する、
前記第１の呼に接続されている間に、前記ＵＥにおいて第２のＳＩＭと関連付けられる第２の呼の少なくとも第２のオーディオを受信するためのプログラムコードと、
前記第２の呼をセットアップするときに、前記第１のＳＩＭの前記ボコーダモードを要求するためのプログラムコードと、
前記第１のオーディオおよび前記第２のオーディオの両方が前記第１のＳＩＭの前記ボコーダモードを使用するように、前記第１のオーディオおよび前記第２のオーディオの両方と関連付けられるオーディオ伝送を、前記ＵＥのオーディオ出力デバイスから同時に出力するためのプログラムコードと、
前記ＵＥから前記第１の呼に少なくとも第３のオーディオデータを送信するためのプログラムコードと、
少なくとも前記第３のオーディオデータが前記第１の呼に送信されている間に前記第２の呼にアイドルフレームを送信するためのプログラムコードと、ここで、前記アイドルフレームはオーディオデータを含まないフレームである、
を含む、非一時的なプログラムコードが記録された非一時的なコンピュータ読取可能な媒体を含む、コンピュータプログラム製品。
【請求項１２】
前記プログラムコードは、
前記第１の呼または前記第２の呼のいずれかに前記ＵＥから通信を選択的に送信するためのプログラムコードをさらに含む、請求項１１に記載のコンピュータプログラム製品。
【請求項１３】
ワイヤレス通信のための装置であって、
メモリと、
前記メモリに結合された少なくとも１つのプロセッサとを含み、前記少なくとも１つのプロセッサは、
ユーザ機器（ＵＥ）において第１の加入者識別モジュール（ＳＩＭ）と関連付けられる第１の呼を受信することと、
前記第１の呼から第１のオーディオデータを少なくとも受信するために前記第１の呼に接続することと、
前記第１の呼に接続されている間に、前記ＵＥにおいて第２のＳＩＭと関連付けられる第２の呼を第２の通信を受信することと、
前記第２の呼から第２のオーディオデータを少なくとも受信するために前記第２の呼に接続することと、
アクティブな呼として前記第１の呼または前記第２の呼のどちらかを選択することと、ここで、前記アクティブな呼として選択されていない呼はアクティブでない呼である、
前記第１のオーディオデータおよび前記第２のオーディオデータの両方と関連付けられるオーディオ伝送を、前記ＵＥのオーディオ出力デバイスから同時に出力することと、
前記ＵＥから前記アクティブな呼に少なくとも第３のオーディオデータを送信することと、
少なくとも前記第３のオーディオデータが前記アクティブな呼に送信されている間に前記アクティブでない呼にアイドルフレームを送信することと、ここで、前記アイドルフレームはオーディオデータを含まないフレームである、を行うように構成される、
ワイヤレス通信のための装置。
【請求項１４】
前記第１の呼は第１の通信のためにボコーダモードを使用し、前記第２の呼も第２の通信のために前記ボコーダモードを使用する、請求項１３に記載の装置。
【請求項１５】
ワイヤレス通信のための装置であって、
メモリと、
前記メモリに結合された少なくとも１つのプロセッサとを含み、前記少なくとも１つのプロセッサは、
ユーザ機器（ＵＥ）において第１の加入者識別モジュール（ＳＩＭ）と関連付けられる第１の呼の少なくとも第１のオーディオを受信することと、ここで、前記第１の呼は、ボコーダモードを使用する、
前記第１の呼に接続されている間に、前記ＵＥにおいて第２のＳＩＭと関連付けられる第２の呼の少なくとも第２のオーディオを受信することと、
前記第２の呼をセットアップするときに、前記第１のＳＩＭの前記ボコーダモードを要求することと、
前記第１のオーディオおよび前記第２のオーディオの両方が前記第１のＳＩＭの前記ボコーダモードを使用するように、前記第１のオーディオおよび前記第２のオーディオの両方と関連付けられるオーディオ伝送を、前記ＵＥのオーディオ出力デバイスから同時に出力することと、
前記ＵＥから前記第１の呼に少なくとも第３のオーディオデータを送信することと、
少なくとも前記第３のオーディオデータが前記第１の呼に送信されている間に前記第２の呼にアイドルフレームを送信することと、ここで、前記アイドルフレームはオーディオデータを含まないフレームである、を行うように構成される、
ワイヤレス通信のための装置。
【請求項１６】
前記少なくとも１つのプロセッサは、
前記第１の呼または前記第２の呼のいずれかに前記ＵＥから通信を選択的に送信することを行うようにさらに構成される、請求項１５に記載の装置。
【手続補正２】
【補正対象書類名】明細書
【補正対象項目名】００５３
【補正方法】変更
【補正の内容】
【００５３】
[0061]  先の説明は、当業者に、本明細書に説明された様々な態様の実現を可能にさせるために提供されている。これらの態様に対する様々な変更は、当業者に容易に理解され、本明細書において定義された一般的な原理は、他の態様に適用され得る。したがって、特許請求の範囲は、本明細書に示された態様に限定されることを意図するものではなく、特許請求の範囲における記載と一致する全範囲を付与されるべきものであり、単数形での要素への言及は、そうであるとの明確な記載がない限り、「ただ１つの」を意味することを意図したものではなく、「１つ以上」を意味するものとする。そうでないことが特に述べられていない限り、「いくつかの」という用語は、１つ以上のことを指す。項目のリストのうちの「少なくとも１つ」を指すフレーズは、単一のメンバーを含む、それらの項目のうちの任意の組み合わせを指すものである。例としては、「ａ、ｂ、またはｃのうちの少なくとも１つ」は、「ａ、ｂ、ｃ、ａおよびｂ、ａおよびｃ、ｂおよびｃ、ａ、ｂ、およびｃ」を含むことを意図する。当業者に周知の、または後に周知となる、この開示を通して説明された様々な態様の要素と構造的および機能的に同等な物はすべて、引用によって本明細書に明確に組み込まれ、特許請求の範囲に含まれることが意図される。さらに、本明細書におけるどの開示も、その開示が特許請求の範囲に明示的に記載されているか否かに関わらず、公衆に開放されることを意図するものではない。要素が、「〜のための手段（means for）」という表現を使用して明確に記載されていない限り、または、方法請求項の場合、要素が、「〜のためのステップ（step for）」という表現を使用して記載されていない限り、どの請求項要素も米国特許法第１１２条６項の規定の下で解釈されるべきではない。
［Ｃ１］
ユーザ機器（ＵＥ）において第１の加入者識別モジュール（ＳＩＭ）と関連付けられる第１の呼において第１の通信を受信することと、
前記ＵＥにおいて第２のＳＩＭと関連付けられる第２の呼において第２の通信を受信することと、
前記受信された第１の通信および前記受信された第２の通信を、前記ＵＥから出力することと、
前記第１の呼または前記第２の呼のうちの１つから選択されたアクティブな呼に前記ＵＥから通信を選択的に送信することと、を含む、ワイヤレス通信の方法。
［Ｃ２］
アクティブでない呼においてアイドルフレームを送信することをさらに含み、前記アクティブでない呼は、通信を送信するために選択されていない前記第１の呼または前記第２の呼のうちの１つである、Ｃ１に記載の方法。
［Ｃ３］
前記第１の呼は前記第１の通信のためにボコーダモードを使用し、前記第２の呼も前記第２の通信のために前記ボコーダモードを使用する、Ｃ１に記載の方法。
［Ｃ４］
ユーザ機器（ＵＥ）において第１の加入者識別モジュール（ＳＩＭ）と関連付けられる第１の呼において通信することと、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求することと、を含む、ワイヤレス通信の方法。
［Ｃ５］
前記第１の呼において受信された通信および前記第２の呼において受信された通信を前記ＵＥから出力することと、
前記第１の呼または前記第２の呼のいずれかに前記ＵＥから通信を選択的に送信することと、をさらに含む、Ｃ４に記載の方法。
［Ｃ６］
ＵＥにおいて第１のＳＩＭと関連付けられる第１の呼において第１の通信を受信する手段と、
前記ＵＥにおいて第２のＳＩＭと関連付けられる第２の呼において第２の通信を受信する手段と、
前記受信された第１の通信および前記受信された第２の通信を、前記ＵＥから出力する手段と、
前記第１の呼または前記第２の呼のうちの１つから選択されたアクティブな呼に前記ＵＥから通信を選択的に送信する手段と、を含む、ワイヤレス通信のための装置。
［Ｃ７］
アクティブでない呼においてアイドルフレームを送信する手段をさらに含み、前記アクティブでない呼は、通信を送信するために選択されていない前記第１の呼または前記第２の呼のうちの１つである、Ｃ６に記載の装置。
［Ｃ８］
前記第１の呼は前記第１の通信のためにボコーダモードを使用し、前記第２の呼も前記第２の通信のために前記ボコーダモードを使用する、Ｃ６に記載の装置。
［Ｃ９］
ユーザ機器（ＵＥ）において第１の加入者識別モジュール（ＳＩＭ）と関連付けられる第１の呼において通信する手段と、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求する手段と、を含む、ワイヤレス通信のための装置。
［Ｃ１０］
前記第１の呼において受信された通信および前記第２の呼において受信された通信を前記ＵＥから出力する手段と、
前記第１の呼または前記第２の呼のいずれかに前記ＵＥから通信を選択的に送信する手段と、をさらに含む、Ｃ９に記載の装置。
［Ｃ１１］
ワイヤレスネットワークにおけるワイヤレス通信のためのコンピュータプログラム製品であって、
ユーザ機器（ＵＥ）において第１の加入者識別モジュール（ＳＩＭ）と関連付けられる第１の呼において第１の通信を受信するためのプログラムコードと、
前記ＵＥにおいて第２のＳＩＭと関連付けられる第２の呼において第２の通信を受信するためのプログラムコードと、
前記受信された第１の通信および前記受信された第２の通信を、前記ＵＥから出力するためのプログラムコードと、
前記第１の呼または前記第２の呼のうちの１つから選択されたアクティブな呼に前記ＵＥから通信を選択的に送信するためのプログラムコードと、
を含む、非一時的なプログラムコードが記録された非一時的なコンピュータ読取可能な媒体を含む、コンピュータプログラム製品。
［Ｃ１２］
前記プログラムコードは、アクティブでない呼においてアイドルフレームを送信するためのプログラムコードをさらに含み、前記アクティブでない呼は、通信を送信するために選択されていない前記第１の呼または前記第２の呼のうちの１つである、Ｃ１１に記載のコンピュータプログラム製品。
［Ｃ１３］
前記第１の呼は前記第１の通信のためにボコーダモードを使用し、前記第２の呼も前記第２の通信のために前記ボコーダモードを使用する、Ｃ１１に記載のコンピュータプログラム製品。
［Ｃ１４］
ワイヤレスネットワークにおけるワイヤレス通信のためのコンピュータプログラム製品であって、
ユーザ機器（ＵＥ）において第１の加入者識別モジュール（ＳＩＭ）と関連付けられる第１の呼において通信するためのプログラムコードと、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求するためのプログラムコードと、
を含む、非一時的なプログラムコードが記録された非一時的なコンピュータ読取可能な媒体を含む、コンピュータプログラム製品。
［Ｃ１５］
前記プログラムコードは、
前記第１の呼において受信された通信および前記第２の呼において受信された通信を前記ＵＥから出力するためのプログラムコードと、
前記第１の呼または前記第２の呼のいずれかに前記ＵＥから通信を選択的に送信するためのプログラムコードと、をさらに含む、Ｃ１４に記載のコンピュータプログラム製品。
［Ｃ１６］
ワイヤレス通信のための装置であって、
メモリと、
前記メモリに結合された少なくとも１つのプロセッサとを含み、前記少なくとも１つのプロセッサは、
ユーザ機器（ＵＥ）において第１の加入者識別モジュール（ＳＩＭ）と関連付けられる第１の呼において第１の通信を受信することと、
前記ＵＥにおいて第２のＳＩＭと関連付けられる第２の呼において第２の通信を受信することと、
前記受信された第１の通信および前記受信された第２の通信を、前記ＵＥから出力することと、
前記第１の呼または前記第２の呼のうちの１つから選択されたアクティブな呼に前記ＵＥから通信を選択的に送信することと、を行うように構成される、
ワイヤレス通信のための装置。
［Ｃ１７］
前記少なくとも１つのプロセッサは、アクティブでない呼においてアイドルフレームを送信することを行うようにさらに構成され、前記アクティブでない呼は、通信を送信するために選択されていない前記第１の呼または前記第２の呼のうちの１つである、Ｃ１６に記載の装置。
［Ｃ１８］
前記第１の呼は前記第１の通信のためにボコーダモードを使用し、前記第２の呼も前記第２の通信のために前記ボコーダモードを使用する、Ｃ１６に記載の装置。
［Ｃ１９］
ワイヤレス通信のための装置であって、
メモリと、
前記メモリに結合された少なくとも１つのプロセッサとを含み、前記少なくとも１つのプロセッサは、
ユーザ機器（ＵＥ）において第１の加入者識別モジュール（ＳＩＭ）と関連付けられる第１の呼において通信することと、ここで、前記第１の呼は、ボコーダモードを使用する、
前記ＵＥにおいて第２のＳＩＭと関連付けられる第２の呼をセットアップするときに、前記第１のＳＩＭの前記ボコーダモードを要求することと、を行うように構成される、
ワイヤレス通信のための装置。
［Ｃ２０］
前記少なくとも１つのプロセッサは、
前記第１の呼において受信された通信および前記第２の呼において受信された通信を前記ＵＥから出力することと、
前記第１の呼または前記第２の呼のいずれかに前記ＵＥから通信を選択的に送信することと、を行うようにさらに構成される、Ｃ１９に記載の装置。